(57)【特許請求の範囲】
【請求項１】
車両のエアバッグ配置のスクイブとの電気的接続を確立するための電気コネクタ（２）であって、
コネクタ（２）は、プラグ方向（Ｐ）に沿って相手側コネクタ（３）に嵌合するように構成され、かつ、ばね配置（５）と、無効化装置（４４）とを特徴としており、
前記ばね配置（５）は、
前記相手側コネクタ（３）に前記コネクタ（２）が挿入されるときに圧縮され、前記プラグ方向（Ｐ）に対向するばね離間力（ＦＡ）を生じさせるばね要素（５０）と、
少なくとも前記ばね要素（５０）が部分的に収容されるプランジャ（５１）と、を有し、
前記プランジャ（５１）は、前記プラグ方向（Ｐ）を向き前記相手側コネクタ（３）の前面（３５）と接触するばね離間面（５２）と、側部に形成されたスロット（５４）とを有し、
前記ばね配置（５）が、前記プラグ方向（Ｐ）と交差する作動方向（Ａ）への前記無効化装置（４４）の移動により、前記ばね離間力（ＦＡ）が無効になる無効状態（Ｄ）に移るように構成され、
前記無効状態（Ｄ）で、前記無効化装置（４４）が前記作動方向（Ａ）から前記スロット（５４）内に嵌入されることにより、前記ばね離間面（５２）が前記前面（３５）と離れた状態で前記ばね配置（５）が保持されてばね力（ＦＳ）を吸収し、
前記ばね配置（５）により及ぼされるすべてのばね力（ＦＳ）が前記コネクタ（２）で支持される、
ことを特徴とするコネクタ（２）。
【請求項２】
前記コネクタ（２）の非嵌合状態において、前記ばね配置（５）が前記コネクタ（２）に留めて保持されることを特徴とする、請求項１に記載のコネクタ（２）。
【請求項３】
前記ばね配置（５）が、前記コネクタ（２）の壁部分（２７ａ）により、前記プラグ方向（Ｐ）に沿って少なくとも部分的に案内されることを特徴とする、請求項１または２に記載のコネクタ（２）。
【請求項４】
前記コネクタ（２）がプラグ開口部（２７）で前記プラグ方向（Ｐ）に開口し、
前記ばね配置（５）が前記プラグ開口部（２７）内に配置されることを特徴とする、請求項１〜３のいずれか一項に記載のコネクタ（２）。
【請求項５】
前記コネクタ（２）が少なくとも１つのコンタクト要素（７）を提供し、
前記コンタクト要素（７）は、前記相手側コネクタ（３）の少なくとも１つの相手側コンタクト要素（８）に嵌合するように構成されており、
前記ばね要素（５０）が少なくとも２つの前記コンタクト要素（７）間に位置することを特徴とする、請求項１〜４のいずれか一項に記載のコネクタ（２）。
【請求項６】
前記プランジャ（５１）が、前記プラグ方向（Ｐ）への前記プランジャ（５１）の移動を制限する制限止め（５７）を備えることを特徴とする、請求項１〜５のいずれか一項に記載のコネクタ（２）。
【請求項７】
車両のエアバッグ配置のスクイブとの電気的接続を確立するための電気プラグインコネクタアセンブリ（１）であって、
請求項１〜６のいずれか１項に記載のコネクタ（２）と、
前記プラグ方向（Ｐ）に沿って前記コネクタ（２）と嵌合する前記相手側コネクタ（３）と、を備えることを特徴とする電気プラグインコネクタアセンブリ（１）。
【請求項８】
前記無効化装置（４４）を有し、前記作動方向（Ａ）に沿ってロック位置（Ｌ）に移動可能に構成されるロック部材（４）をさらに備え、
前記無効化装置（４４）は、前記ロック位置（Ｌ）で前記ばね配置（５）を前記無効状態（Ｄ）とする、
請求項７に記載の電気プラグインコネクタアセンブリ（１）。
【請求項９】
前記コネクタ（２）は、嵌合時に前記相手側コネクタ（３）に掛止される少なくとも１つのラッチ要素（２５）を有し、
前記ロック部材（４）は、前記ロック位置（Ｌ）で前記ラッチ要素（２５）が偏向することを防止することを特徴とする、
請求項８に記載の電気プラグインコネクタアセンブリ（１）。
【請求項１０】
前記ロック部材（４）は、前記作動方向（Ａ）に沿ってロック前位置（Ｋ）から前記ロック位置（Ｌ）に移動可能であり、
前記ロック部材（４）は、前記ロック前位置（Ｋ）で前記コネクタ（２）に設けられた留め具（２３ａ）に係合される留め具（４３ａ）を有し、
前記ばね配置（５）は、前記ロック部材（４）の前記留め具（４３ａ）を前記ロック前位置（Ｋ）で前記留め具（２３ａ）に係合された状態から解除するための解除装置（５５）を有することを特徴とする、請求項８または請求項９に記載の電気プラグインコネクタアセンブリ（１）。
【発明の詳細な説明】
【技術分野】
【０００１】
本発明はコネクタに関し、特に、車両のエアバッグ配置のスクイブとの電気的接続を確立するためのコネクタに関する。このコネクタは、プラグ方向に沿って相手側コネクタに嵌合するように構成される。
【０００２】
さらに、本発明は、電気プラグインコネクタアセンブリに関し、特に車両のエアバッグ配置のスクイブとの電気的接続を確立するための電気プラグインコネクタアセンブリに関する。この電気プラグインコネクタアセンブリは、コネクタと、ばね離間位置（spring-apart position）を介してプラグ方向に沿ってコネクタに嵌合するように構成された相手側コネクタとを備え、コネクタが相手側コネクタにせいぜい部分的に嵌合する。
【背景技術】
【０００３】
電気コネクタと、コネクタおよび上記種類の相手側コネクタを備える電気プラグインコネクタアセンブリとが公知である。コネクタアセンブリは、例えば、緊急事態または事故の場合にスクイブを起動してエアバッグを膨張させるために、車両のエアバッグ配置との電気的接続を確立するように使用される。先行技術によれば、例えばコネクタと相手側コネクタとが完全嵌合位置に適切に掛止されていないために、コネクタが相手側コネクタに完全には嵌合しない危険性がある。したがって、コネクタと相手側コネクタとが誤って外れるおそれがあり、それによって誤動作につながるおそれがある。
【０００４】
先行技術によるプラグインコネクタアセンブリが、例えば、２０１２年７月１２日に本出願人によって出願された欧州特許出願第１２１７６２１７．３号から公知である。
【発明の概要】
【発明が解決しようとする課題】
【０００５】
上記先行技術によるプラグインコネクタアセンブリの欠点を考慮すると、本発明の根底をなす目的は、確実かつ安定して完全嵌合状態に適切に到達したことを明示する、便利なスクイブコネクタを提供することである。
【課題を解決するための手段】
【０００６】
説明の最初に記載したコネクタについて、この目的は、プラグ方向を向いたばね離間面を提供し、プラグ方向に作用するばね離間力（spring-apart force）に対抗してコネクタで変位可能であるばね配置によって達成される。言い換えると、少なくともばね離間位置において、コネクタと相手側コネクタとの間にばね離間力を及ぼすように、ばね配置を構成することができる。ばね離間力は、コネクタにプラグ方向とは反対の方向に作用することができる。
【０００７】
説明の最初に記載した電気プラグインコネクタアセンブリについて、この目的は、少なくともばね離間位置において、コネクタにプラグ方向とは反対の方向に作用するばね離間力を、コネクタと相手側コネクタとの間に及ぼすばね配置によって達成される。
【０００８】
これらの解決法により、プラグインコネクタアセンブリを組み立てる作業者は、コネクタが完全には嵌合していないとき、すなわち、完全嵌合位置に適切に到達していない場合にコネクタがばね離間するときに、視覚的フィードバックおよび触覚的フィードバックを有することができる。加えて、ばね離間位置は、電気的接触が確立されないことを保証することができる。ばね離間位置では、完全嵌合位置においてコネクタが相手側コネクタに掛止するまで、コネクタが相手側コネクタにせいぜい部分的に係合することができる。ラッチは、可聴クリックを発生するという点で、コネクタと相手側コネクタとの適切な嵌合を明示することができる。さらに、ラッチ機構はばね離間力を吸収することができ、これにより、コネクタおよび相手側コネクタがばね離間力によって自動的に分離されることを防止する。
【０００９】
本発明による解決法は、希望に応じて組み合わせることができ、各々の場合においてそのままで有利な以下のさらなる実施形態によってさらに改良される。
【００１０】
本発明によるコネクタの第１のさらなる実施形態によれば、コネクタの非嵌合状態において、ばね配置をコネクタに留めて保持することができる。例えば、ばね配置を、コネクタのハウジングに形成されたホルダ内で受容することができる。ばね配置の制限止めが、プラグ方向へのばね配置の移動を制限することができる。これにより、嵌合中にばね配置をコネクタに固定する必要なく、コネクタを相手側コネクタに片手で挿入できるため、コネクタの取扱いが容易になる。
【００１１】
ばね離間位置は、電気的接触の確立を防止することができる。これにより、コネクタ嵌合の電気検査を可能にすることができ有利である。
【００１２】
ばね配置を、コネクタの壁部分により、プラグ方向に沿って少なくとも部分的に案内することができる。これにより、ばね配置、および特にそのばね離間面を、プラグ方向に略平行に、直線的に移動させることができる。例えば、壁部分は案内部を提供することができる。案内部は溝として形成されてもよい。壁部分は、コネクタのプラグ部の一部であってよい。プラグ部は、コネクタの基部からプラグ方向に突出することができる。案内部を有する壁部分は、プラグ部の一部であってよい。ばね配置は、プラグ部内に少なくとも部分的に延びることができる。これにより、ばね配置を直線的に移動させつつ、コネクタと相手側コネクタとの嵌合が容易になる。
【００１３】
コネクタは、プラグ開口部でプラグ方向に開口することができる。ばね離間面を、プラグ面および／またはプラグ開口部を介して接近可能（accessibly）に配置することができる。嵌合中にばね離間面を相手側プラグに当接させることができるようにするために、ばね離間面をプラグ方向と反対の方向に接近可能に配置することができる。ばね配置はプラグ開口部内に配置されてもよい。プラグ部はプラグ開口部を備えることができる。したがって、ばね配置を、少なくともプラグ方向に垂直に延びる方向でコネクタの壁部分によって囲まれるように、プラグ部内および／またはプラグ開口部後方の有害な環境影響から保護することができる。
【００１４】
ばね配置は、ばね離間力が無効になる無効状態に移るように構成されてもよい。これにより、コネクタと相手側コネクタとが完全嵌合状態にあるときにばね離間力を解除して、故障を引き起こすおそれのあるばね離間力によって生じる、その耐用年数にわたる応力を、コネクタアセンブリが受けないようにすることができる。無効状態では、ばね配置をプラグ部からコネクタの基部へ引き抜くことができる。
【００１５】
無効状態で、ばね配置により及ぼされるすべてのばね力をコネクタで支持することができる。ばね力をコネクタ内で支持することができる。これにより、ばね力が相手側コネクタ、すなわちコネクタと相手側コネクタとの間に作用しないため、ばね離間機能を停止し、耐用年数にわたってラッチまたはロック要素に応力を与えることになるばね離間力から、ラッチおよびロック要素を守る。
【００１６】
ばね配置はスロットを備えることができ、無効状態で、コネクタの無効化装置がスロットに係合してばね力を吸収することができる。これにより、ばね力および／またはばね離間力をコネクタのみで容易に支持することができる。コネクタおよび相手側コネクタの完全嵌合状態にコネクタと相手側コネクタとをロックするように構成されたロック部材に、無効化装置を形成してもよい。これにより、ロック部材は、コネクタと相手側コネクタとを完全嵌合状態にロックし、例えばコネクタ位置決め保証（ＣＰＡ：connector  positioning  assurance）として機能し、加えてばね力および／またはばね離間力を吸収するという点で、二重の機能を有することができる。
【００１７】
ばね配置は、ばね離間面を提供するプランジャと、プランジャ内に少なくとも部分的に収容可能であり、ばね離間力を及ぼすことのできる、ばね要素とを備えることができる。プランジャは、コネクタにおいて、および／または案内部内で摺動可能に保持することができ、無効化装置と係合するためのスロットを備えることができる。これにより、ばね離間機能を容易に設けることができる。ばね要素は、例えばコイルばね（らせんばね）であってよく、または少なくとも１つのコイルばねを含んでもよい。各コイルばねをプランジャ内に収容することができる。
【００１８】
ばね要素は、少なくとも２つのコンタクト要素間に位置していてもよい。これにより、最小のパッケージ要件が可能となるため、小型のコネクタを製造することができる。
【００１９】
プランジャは、プラグ方向へのプランジャの移動を制限する制限止めを備えてもよい。これにより、プランジャを容易にコネクタに留めて保持することができる。さらに、適切なばね力および／またはばね離間力を与えるように、少なくとも１つのばね要素を所望のバイアスまたはプレテンションで保持することができる。
【００２０】
プランジャは、コネクタのロック部材をロック前位置（pre-locking position）から解除するための解除装置を備えることができる。完全嵌合状態では、その後、ロック部材をロック前位置からロック位置に移すことができ、ロック位置で、ロック部材がコネクタと相手側コネクタとを完全嵌合状態にロックし、かつ／またはばね配置を無効にする。これにより、コネクタと相手側コネクタとが完全嵌合状態に到達したときに、プランジャがロック部材を解除することができるため、完全嵌合状態に適切に到達するためのさらなる信号を与える。
【００２１】
本発明によるプラグインコネクタアセンブリのさらなる実施形態では、プラグインコネクタアセンブリの最終状態で、ばね配置が無効状態にあってもよく、この無効状態では、ばね配置により及ぼされるすべての力がコネクタで支持される。これにより、前述したように、コネクタと相手側コネクタとが完全に嵌合した後に、コネクタと相手側コネクタとの間でばね力が作用しなくなり得る。
【００２２】
最終状態で、ばね配置を相手側コネクタから距離をおいて保持することができる。したがって、ばね離間面を相手側コネクタから分離することができるため、故障を引き起こすおそれのある、耐用年数にわたる応力を防止する。
【００２３】
最終状態では、プラグインコネクタアセンブリのロック部材がロック位置にあってもよく、ばね配置を無効状態に封鎖してもよい。ロック部材の無効化装置が、ばね配置に作用することができる。ロック部材を、プラグ方向に垂直な方向に移動して相手側コネクタに係合するように構成されたＣＰＡとして使用してもよい。ロック部材は、少なくともプラグ方向と反対の、相手側コネクタに対するコネクタの移動を防止することができる。コネクタが相手側コネクタに完全に嵌合する最終状態で、ロック部材はロック位置にあってよく、このロック位置では、ロック部材が少なくともコネクタで支持され、コネクタと相手側コネクタとを完全嵌合位置に固定する。
【００２４】
ロック位置で、ロック部材はばね配置に係合することができる。例えばロック部材の無効化装置は、ばね配置に形成されたスロット内に突出することができるため、ばね配置を相手側コネクタから離して持ち上げる。ロック部材は、ロック前位置からロック位置へ作動方向に移動するように構成されてもよい。作動方向は、プラグ方向に略垂直に延びることができる。
【００２５】
さらに、コネクタは、開口部をロック部材の案内部に与えるハウジングを備えることができる。この開口部は、ハウジングに横方向に配置され、プラグ方向に略垂直な方向を向く。案内部は、少なくとも部分的に、プラグ方向と反対の方向にロック部材を支持するように構成されてもよい。これにより、ロック部材のロック要素は、コネクタと相手側コネクタとを最終状態に固定するように容易に移動することができる。ロック要素は、少なくとも部分的に、コネクタのラッチ要素をロックする摺動ボルトとして形成されてもよい。したがって、ロック部材は、少なくとも１つのラッチ要素をロック位置にロックすることができる。ロック位置では、ロック部材に形成された留め具が、コネクタの対応留め具に係合することができるため、ロック部材がロック位置でコネクタに掛止する。
【００２６】
相手側コネクタは、相手側コネクタのポケットに収容されるリテーナを備えることができ、対応ロック要素がリテーナに形成される。リテーナは、ポケットに少なくとも１つの固定部材を備え、少なくとも１つの対応固定部材を備えることができる。相手側コネクタの組立状態において、リテーナがポケット内にロックされるように、固定部材が対応固定部材に係合することができる。固定部材、ならびに／または、コネクタのラッチおよび相手側コネクタの対応ラッチを備えることのできる主ラッチアセンブリを封鎖するように、コネクタを構成することができ、その結果、固定部材、および／または例えば主ラッチとして作用するラッチ要素の誤ったロック解除を防止することができる。誤ったロック解除は、例えば、前述したロック部材により防止することができる。
【００２７】
以下で、有利な実施形態を用いて、添付図面を参照しながら、本発明について例としてより詳細に説明する。しかしながら、記載される実施形態は、前述したように、個々の特徴が互いに独立して実施可能であり、または省略可能である、実現可能な構成のみである。図中の同一の要素は、同一の参照符号で示される。異なる図に示される同一の要素に関する説明の重複部分は割愛する。
【図面の簡単な説明】
【００２８】
【図１】本発明の実施形態によるプラグインコネクタ配置の概略斜視分解図である。
【図２】組み立てられた非嵌合状態にある本発明の実施形態に係るコネクタの概略斜視図である
【図３】図２に示すコネクタの概略上面図である。
【図４】本発明による相手側コネクタの概略上面図である。
【図５】図４の横断線Ｗ−Ｗに沿った、図４に示す相手側コネクタの概略横断面図である。
【図６】図３に示す横断線Ｖ−Ｖに沿った、ばね離間位置にある図１に示すコネクタアセンブリの概略横断面図である。
【図７】図３および図４に示す横断線Ｗ−Ｗに沿った、ばね離間位置にあるプラグインコネクタアセンブリの概略横断面図である。
【図８】図３に示す横断線Ｖ−Ｖに沿った、完全嵌合位置にあるプラグインコネクタアセンブリの概略横断面図である。
【図９】図３および図４に示す横断線Ｗ−Ｗに沿った、完全嵌合位置にあるプラグインコネクタアセンブリの概略横断面図である。
【図１０】図３に示す横断線Ｖ−Ｖに沿った、最終状態にあるプラグインコネクタアセンブリの概略横断面図である。
【図１１】図３および図４に示す横断線Ｗ−Ｗに沿った、最終状態にあるプラグインコネクタアセンブリの概略横断面図である。
【発明を実施するための形態】
【００２９】
以下で、プラグインコネクタアセンブリ１の概略斜視分解図である図１を参照しながら、本発明の実施形態によるプラグインコネクタアセンブリ１の例示的な構成について最初に説明する。プラグインコネクタアセンブリ１は、コネクタ２、相手側コネクタ３、ロック部材４、およびばね配置５を備える。ロック部材４およびばね配置は、コネクタ２の一部であり、かつ／またはコネクタ２に関連すると見なすことができるが、必ずしもその必要はない。プラグインコネクタアセンブリ１を、電気部品６、例えば、車両のエアバッグ配置のフィルタを電気的に接続および／または収容するために使用することができる。電気部品６を、コネクタ２内に受容することができる。
【００３０】
コネクタ２が有するハウジング２０は、図２に示す組立前状態Ｒから以下でさらに説明する組立状態Ｓに移るときにコネクタの内部２１を提供する上部シェル２０ａおよび下部シェル２０ｂを備える。内部２１は、電気導体、すなわち、端子および電気ラインであり得るコンタクト要素７、ならびに電気部品６の他の機能的要素を収容するように構成される。本実施形態では、コンタクト要素７が下部シェル２０ｂに受容される。内部２１への開口部２２は、例えば後開口部としてハウジング２０に横方向に形成され、ロック部材４の作動方向Ａを画定する案内部２２ａ、２２ｂを提供する。
【００３１】
ばね配置５用のホルダ２３は、ハウジング２０内、特に下部シェル２０ｂ内に軸またはスロットとして形成される。ホルダ２３は、コネクタ２のプラグ部２４内にプラグ方向Ｐに延びる略円筒形状を有する。プラグ部２４は、下部シェル２０ｂに形成され、コネクタ２が相手側コネクタ３に嵌合するように構成されるプラグ方向Ｐに、下部シェル２０ｂから延びる。コネクタ２のラッチ要素２５は、ハウジング２０からプラグ方向Ｐに横方向に突出するように、プラグ部２４の一部として形成されて、コネクタ２と相手側コネクタ３とを完全嵌合位置Ｍ（まだ図示せず）に掛止することができる。
【００３２】
相手側コネクタ３は、リテーナ３０を備える。このリテーナ３０は、相手側コネクタ３のケーシング３２によって形成されたポケット３１内に収容されるように構成される。相手側コネクタ３の相手側プラグ部３３は、リテーナ３０に形成され、コネクタ２のプラグ部２４を少なくとも部分的に収容するためのキャビティ３４を提供する。
リテーナ３０は、それぞれの対応分極要素３８ａ、３８ｂに嵌入する分極要素３７ａ、３７ｂを備えて、リテーナ３０を予め定義された向きのみでポケット３１に挿入できるようにする。リテーナ３０の外周のボス状の固定要素３７ｃにより、リテーナをポケット３１内に固定することができる。ポケット３１の内周に沿って延びる溝として形成された対応固定要素３８ｃに、固定要素が係合するからである。コンタクト要素７に嵌合するように構成された相手側コンタクト要素８は相手側プラグ方向Ｐ’に延び、相手側プラグ方向Ｐ’はプラグ方向Ｐと略反対に延びる。相手側コンタクト要素８は、相手側プラグ部３３に形成された相手側コンタクトレセプタクル３３ａ、３３ｂ内に同軸に配置されるように設計される。
【００３３】
ロック部材４は、コネクタ２の案内部２２ａ、２２ｂのそれぞれによって案内され支持されるように構成された２つの軸４０ａ、４０ｂを備え、軸４０ａ、４０ｂはコネクタ２のハウジング２０の内部２１に突出するようになっている。軸４０ａ、４０ｂは、作動方向Ａに略平行に延びる。軸４０ａ、４０ｂの間に、ばね配置５を無効にする無効化装置（まだ図示せず）が配置される。軸４０ａ、４０ｂおよび無効化装置は、ロック部材４の作動部分４１または本体部から突出する。作動部分４１は、作動方向Ａと反対を向いた外側面４１ａを提供して、外側面４１ａに作動方向Ａに圧力を及ぼすことによって、ロック部材４を作動させることができる。
カバー部分４１ｂは、外側面４１ａから横方向に離れて作動方向Ａに延び、カバー部分４１ｂが軸４０ａ、４０ｂおよび無効化装置に略平行に延びるようになっている。ロック部材４を作動方向Ａに作動させるための把持を強化するために、リブ４１ｃがカバー部分４１ｂの上部に形成される。カバー部分４２ｂに設けられるスリット４２には、ロック部材４の弾性偏向可能な阻止装置４３がロック部材４、特にカバー部分４２ｂに配置されて、阻止装置４３が少なくとも部分的にスリット４２内に埋め込まれ、スリット４２に沿って延びるようになっている。阻止装置４３は、ハウジング２０およびばね配置５と相互作用するように構成される。
【００３４】
ばね配置５は、例えば図１に示すようにコイルばねとして具体化され得るばね要素５０と、プランジャ５１とを備える。プランジャ５１は、下側５１ａにばね離間面を提供する、略管状または円筒形の本体を有する。このばね離間面は、相手側コネクタ３、特にリテーナ３０に形成され、プラグ方向Ｐと略反対側、すなわち相手側プラグ方向Ｐ’を向いた前面３５にばね離間力ＦＡを及ぼすように構成される。
さらに、プランジャ５１は、ばね要素５０を収容するための穴または挿入部として形成されたばねホルダ５３を提供する。スロット５４が、プランジャ５１の壁に形成され、壁を通ってばねホルダ５３内に延びる。スロット５４上方に解除装置５５が配置され、解除装置５５は、プラグ方向Ｐと反対の、作動方向Ａに垂直な方向へ、プランジャから横方向に離れて突出する。
解除装置は解除要素５６を備え、この解除要素５６は、プラグ方向Ｐと反対の方向に、プランジャ５１の上側５１ｂ上方へ突出する。スロット５４および解除装置５５が配置される側と反対のプランジャ５１の側で、プランジャ５１は、ホルダ２３内でのプラグ方向Ｐへのプランジャ５１の移動を制限するように構成された制限止め５７を備える。
【００３５】
図１に示すように、縦方向Ｘ（長手方向Ｘ）、横方向Ｙ、および高さ方向Ｚをプラグインコネクタアセンブリ１に割り当てることができる。縦方向Ｘ、横方向Ｙ、および高さ方向Ｚは各々、互いに対して垂直に延び、デカルト座標システムを構成するものとみなすことができるようになっている。プラグインコネクタアセンブリ１の部品の前側または後側へのすべての言及は、縦方向Ｘに関連することができる。左側または右側へのすべての言及は、横方向Ｙに関連することができる。上側もしくは下側または上方もしくは下方へのすべての言及は、高さ方向Ｚに関連することができる。作動方向Ａは、縦方向Ｘに略平行に延びることができる。プラグ方向Ｐ、相手側プラグ方向Ｐ’、およびばね離間力ＦＡは、高さ方向Ｚに略平行に延びることができる。
【００３６】
図２は、組立状態Ｓにあるコネクタ２を示し、ここでは、ハウジング２０を形成するために上部シェル２０ａと下部シェル２０ｂとが組み立てられ、ロック部材４が開口部２２に挿入され、ばね配置５がホルダ２３に挿入される。
図２に示す概略斜視図では、上部シェル２０ａがラッチ舌部状の固定要素２０ｃを備え、固定要素２０ｃが下部ハウジングシェル２０ｂのラッチ凹部状の対応固定要素２０ｄと相互作用して、上部シェル２０ａが下部シェル２０ｂにしっかりと固定されるようになっていることが明らかになる。プラグ部２４は、コネクタ２の基部２６から離れてプラグ方向Ｐに延び、コネクタ２の壁部分２７ａによって囲まれたプラグ開口部２７でプラグ方向Ｐに開口する。
コンタクト要素７のレセプタクル２８ａ、２８ｂを有する端子ハウジング部２８がプラグ開口部２７内に配置されて、端子ハウジング部２８が基部２６からプラグ方向Ｐに突出し、レセプタクル２８ａ、２８ｂが相手側コンタクト要素８を受容するようにプラグ方向Ｐに開口する。
【００３７】
ばね配置５は、ばね離間面５２がプラグ方向Ｐを向くように、端子ハウジング部２８に隣接して配置される。プラグ部２４の内壁に沿って延びる凹部または溝として形成された案内部２７ｂが、プラグ方向Ｐに略平行に延びる。ばね配置５、特にプランジャ５１は、案内部２７ｂに部分的に係合して、ばね離間面５２が、プラグ方向Ｐに沿って略直線的に案内されるようになっている。ラッチ要素２５は、プラグ部２７に横方向に配置され、戻り止め２５ａを各々備える。戻り止め２５ａは、移行領域２５ｃを介して壁部２７ａに各々接続されたラッチ舌部２５ｂに配置される。端子ハウジング部２８を有するプラグ開口部２７、ばね配置５、および移行領域２５ｃは、コネクタ２のプラグ面２９を形成する。さらに、図２で、ロック部材４が、作動部分４２から離れて作動方向Ａに延びる無効化装置４４を備えることが明らかになる。無効化装置４４は、ばね配置５のプランジャ５１のスロット５４にぴったりと嵌入するように設計された梁として形成される。
【００３８】
図３は、組立状態Ｓのコネクタ２の概略上面図である。ここでは、ロック部材４がロック前位置Ｋにあることが明らかになる。ロック前位置Ｋでは、作動方向Ａを向いた阻止装置４３の端部に形成された留め具４３ａによって、ロック部材４がコネクタ２に拘束される。留め具４３ａは、ハウジング２０、特に上部シェル２０ａの上部またはシーリングに形成された第１の対応留め具２３ａに係合する。さらに、ロック部材４をロック位置Ｌ（まだ図示せず）に拘束するために、第２の対応留め具２３ｂが、第１の対応留め具の後方で作動方向Ａにハウジング２０に形成される。
【００３９】
図４は、組立状態Ｓにある相手側コネクタ３の概略上面図であり、ここではリテーナ３０がポケット３１内に挿入され掛止される。プラグ部２４を受けるためのキャビティ３４が、相手側プラグ部３３とケーシング３２の相手側壁部分３６、特にポケット３１の内周との間、ならびに相手側プラグ部３３と２つの固定部材３７との間に形成され、ポケット３１に形成された対応分極要素３８ａ、３８ｂに係合する分極要素３７ａ、３７ｂを提供する。固定部材３７の外周に配置されたボス状の固定要素３７ｃが、ポケット３１の内周に沿って延びる周方向溝として形成された対応固定要素３８ｃ内に突出する。リテーナ３０とポケット３１は共に、今度は相手側プラグ方向Ｐ’を向いた、コネクタ２のプラグ面２９を補う相手側コネクタの相手側プラグ面３９を画定する。
【００４０】
図５は、図４に示す横断線Ｗ−Ｗに沿った相手側コネクタ３の概略横断面図である。ここでは、コンタクトピン状の相手側コンタクト要素８が、相手側コンタクトレセプタクル３３ａ、３３ｂのそれぞれを通って相手側コンタクト方向Ｐ’に延びることが明らかになる。固定要素３７ｃと、キャビティ３４に挿入される、プラグ部２４のラッチ要素２５の戻り止め２５ａとを受けることができるように、対応固定要素３８ｃが形成される。
【００４１】
図６は、図３に示す横断線Ｖ−Ｖに沿った、ばね離間位置Ｎにあるプラグインコネクタアセンブリ１の概略横断面図であり、コネクタ２のプラグ部２４がキャビティ３４に半分挿入されている。
ばね離間位置Ｎでは、コンタクト要素７と相手側コンタクト要素８との電気的接触が防止される。プラグインコネクタは組立状態Ｓ、すなわち、コネクタ２と相手側コネクタ３とが組み立てられた状態で示される。ばね配置５のばね離間面５２は、相手側プラグ部３３の前面３５に当接して、ばね離間力ＦＡに対応するばね要素５０のばね力ＦＳに打ち勝つ係合力ＦＰを発生させなければならない。係合力ＦＰはプラグ方向Ｐに及ぼされ、ばね力Ｆおよびばね力ＦＡは、コネクタ２にプラグ方向Ｐと反対、すなわち相手側プラグ方向Ｐ’に及ぼされる。
【００４２】
ばね５０は、ばねホルダ５３の内周と、ハウジング２０の上部または天井に形成されて、そこからプランジャ５１に向かって下方へプラグ方向Ｐに突出するピン２３ｃとによって、プランジャ５１およびプラグ要素２の内部２１の中心に位置する。プランジャ５１はホルダ２３内に変位可能に受容されて、プラグ方向Ｐに、およびプラグ方向Ｐと反対に、ホルダ２３に沿って摺動できるようになっている。
プランジャ５１の制限止め５７が、ホルダ２３に隣接するハウジング２０の内部２１に形成された当接部２３ｄに当接するという点で、プランジャ５１の移動はプラグ方向Ｐに制限される。さらに、ロック部材４はロック前位置Ｋにあり、ここでは阻止装置４３の留め具４３ａが第１の対応留め具２３ａ内に突出して、ロック部材４の移動が、作動方向Ａおよび／または作動方向Ａと反対に制限および／または阻止される。これにより、ロック部材４は、プラグインコネクタアセンブリ１が完全嵌合位置Ｍ（まだ図示せず）に適切に到達していないとともに、ハウジング２０に留めて保持されることを示す。
【００４３】
図６に類似した図７は、図３および図４に示す横断線Ｗ−Ｗに沿った、ばね離間位置Ｎにある組立状態Ｓのプラグインコネクタアセンブリ１の概略横断面図である。ラッチ要素２５がキャビティ３４に半分挿入されている。コンタクト要素７は、相手側コンタクト要素８の上方に位置し、コネクタ２を相手側コネクタ３内へ下方に押すときに相手側コンタクト要素８と嵌合するように、相手側コンタクト要素８とプラグ方向Ｐに位置合わせされる。
【００４４】
図８は、図３に示す横断線Ｖ−Ｖに沿った、コネクタ２と相手側コネクタ３との完全嵌合位置Ｍにある、組立状態Ｓのプラグインコネクタアセンブリ１を示す。プラグ部２４はキャビティ３４に完全に挿入される。ばね離間力ＦＡに等しいばね力ＦＳが、コネクタ２にプラグ方向Ｐと反対の方向に及ぼされるように、ばね離間面５２が前面３５に当接する。プランジャ５１は、ハウジング２０の内部２１に移動、すなわち摺動する。プランジャ５１の解除要素５６が第１の対応留め具２３ａ内に突出して、阻止装置４３の留め具４３ａがプラグ方向Ｐと反対の方向に対応留め具２３ａから押し出され、ロック部材４を作動方向Ａに移動させることができるようにする。
【００４５】
図９は、図３および図５に示す横断線Ｗ−Ｗに沿った、ロック部材がロック前位置Ｋにあるが、解除されて作動方向Ａに作動する準備ができた、組立状態Ｓおよび完全嵌合位置Ｍにあるプラグインコネクタアセンブリ１を示す。ラッチ要素２５、特にその戻り止め２５ａが対応固定要素３８ｃ内に突出して、ばね離間力ＦＡに対応するばね力ＦＳが、相手側コネクタ３、特にケーシング３２に形成された対応固定要素３８ｃで支持される。
【００４６】
したがって、相手側コネクタ３は、ばね力ＦＳおよびばね離間力ＦＡを補償するために、保持力ＦＲを及ぼす。さらに、図９では、電気的接続が確立されるように、コンタクト要素７が相手側コンタクト要素８を取り上げることが明らかになる。
【００４７】
図１０は、図３に示す横断線Ｖ−Ｖに沿った、図６および図８に類似したプラグインコネクタアセンブリ１の概略横断面図である。図１０は、組立状態Ｓおよび完全嵌合位置Ｍにあり、さらにロック部材４がロック位置Ｌにある、プラグインコネクタアセンブリ１を示している。組立状態Ｓ、完全嵌合位置Ｍ、およびロック位置Ｌでは、プラグインコネクタアセンブリ１が最終状態Ｆにあり、使用する準備ができている。ロック位置Ｌでは、無効化装置４４が作動方向Ａに移動して、留め具４３ａが第１の対応留め具２３ａを超えて作動方向Ａに摺動するようになっている。留め具４３ａは第２の対応留め具２３ｂに係合することにより、ロック部材４をロック位置Ｌに固定する。言い換えると、留め具４３ａが第２の対応留め具２３ｂ内に突出し、ロック部材４をロック位置Ｌに掛止する。
【００４８】
さらに、無効化装置４４はスロット５４内に突出して、プランジャ５１が解除要素５６の下方で支持されるようにする。これにより、ばね離間面５２が前面３５から離れて持ち上げられ、ハウジング２０内で前面３５から距離ｄをおいて配置される。したがって、無効化装置４４はばね力ＦＳを吸収する。言い換えると、ばね力ＦＳを補償して、ばね力ＦＳの荷重を相手側コネクタ３から取り去る無効化力ＦＤが及ぼされるように、無効化装置４４とばね配置５とが相互作用する。これにより、ばね配置５は無効状態Ｄになる。
【００４９】
図１１は、図３および図５に示す横断線Ｗ−Ｗに沿った、最終状態Ｆにあるプラグインコネクタアセンブリ１の概略横断面図である。ここで、阻止装置４３がコネクタ２のハウジング２０に係合しつつ、無効化装置４４がスロット５４内に突出して、ばね配置が無効状態Ｄになるようにすることが明らかになる。コネクタ２は、対応固定要素３８ｃに係合するラッチ要素２５によって相手側コネクタに掛止される。相手側コンタクト要素８はコンタクト要素７内に突出し、これらはプラグインコネクタアセンブリ１のラッチ機構によって定位置にしっかりと保持される。さらに、軸４０ａ、４０ｂをラッチ２５に隣接して配置して、ラッチ２５が偏向することを防止し、さらに戻り止め２５ａが対応固定要素３８ｃから引き抜かれることを防止する。
【００５０】
本発明の範囲および／または本発明のアイデアから逸脱することなく、本発明の実施形態によるプラグインコネクタアセンブリ１の上記実施形態からの変更が可能である。コネクタ２は内部２１を有するハウジング２０を備えることができ、内部２１は、必要に応じて、ロック部材４、ばね配置５、電気部品６、コンタクト要素７を収容するように形成することができ、必要に応じて相手側コネクタ３の相手側プラグ部３３を補償するように形成されたプラグ部２４を有することができる。コネクタ２と相手側コネクタ３とは、所望の電気的接続を確立するために必要な任意の形状および数のコンタクト要素７、８をそれぞれ備えることができる。案内部２２ａ、２２ｂ、軸４０ａ、４０ｂ、開口部２２、ホルダ２３、対応留め具２３ａ、２３ｂ、ピン２３ｃ、ラッチ要素２５、基部２６、プラグ開口部２７、壁部分２７ａ、案内部２７ｂ、端子ハウジング部２８、プラグ面２９は、相手側プラグ部３３、相手側コンタクトレセプタクル３３ａ、３３ｂ、キャビティ３４、前面３５、相手側壁部分３６、固定部材３７、作動部分４１、外側面４１ａ、カバー部分４１ｂ、スリット４２、阻止装置４３、留め具４３ａ、無効化装置４４、ばね要素５０、プランジャ５１、スロット５４、解除装置５５、解除要素５６、および制限止め５７を補償するのに望ましい任意の形状および数で設けることができる。
【００５１】
ロック部材４およびばね配置５は、いくつかの機能を有することができる。ロック部材の第１の機能は、ロック部材４の移動を防止して、ロック部材がロック位置Ｌを取ることができないようにするという点で、ばね離間位置Ｎを明確にすることであってよい。ロック部材４の第２の機能は、ばね配置５を無効にすることであってよい。そして、ばね配置５は、ばね離間機能を実現するために使用されてもよく、さらに、プラグインコネクタアセンブリ１が完全嵌合位置Ｍに到達したときにロック部材４をロック前位置Ｋから解除してもよい。
完全嵌合位置Ｍでは、ラッチ要素２５が、軸４０ａ、４０ｂの助けにより完全嵌合位置Ｍで定位置に保持可能な主ロックラッチ要素２５として作用することができる。軸４０ａ、４０ｂは、ラッチ要素２５、特に戻り止め２５ａを担持するラッチ舌部２５ｂの偏向を防止するという点でロック装置として作用し、これにより、図１１に示すように主ロックのロック解除を防止する。
【符号の説明】
【００５２】
１  プラグイン接続アセンブリ
２  コネクタ
３  相手側コネクタ
４  ロック部材／ＣＰＡ
５  ばね配置
６  電気部品／フィルタ
７  コンタクト要素
８  相手側コンタクト要素
２０  ハウジング
２０ａ  上部シェル
２０ｂ  下部シェル
２０ｃ  固定要素
２０ｄ  対応固定要素
２１  内部
２２  開口部
２２ａ、２２ｂ  案内部
２３  ホルダ
２３ａ  第１の対応留め具
２３ｂ  第２の対応留め具
２３ｃ  ピン
２４  プラグ部
２５  ラッチ要素／主ロックラッチ
２５ａ  戻り止め
２５ｂ  ラッチ舌部
２５ｃ  移行領域
２６  基部
２７  プラグ開口部
２７ａ  壁部分
２７ｂ  案内部
２８  端子ハウジング部
２９  プラグ面
３０  リテーナ
３１  ポケット
３２  ケーシング
３３  相手側プラグ部
３３ａ、３３ｂ  相手側コンタクトレセプタクル
３４  キャビティ
３５  前面
３６  相手側壁部分
３７  固定部材
３７ａ、３７ｂ  分極要素
３７ｃ  固定要素
３８ａ、３８ｂ  対応分極要素
３８ｃ  対応固定要素
３９  相手側プラグ面
４０ａ、４０ｂ  ロック装置／軸
４１  作動部分
４１ａ  外側面
４１ｂ  カバー部分
４１ｃ  リブ
４２  スリット
４３  阻止装置
４３ａ  留め具
４４  無効化装置
５０  ばね要素
５１  プランジャ
５１ａ  プランジャ下側
５１ｂ  プランジャ上側
５２  ばね離間面
５３  ばねホルダ
５４  スロット
５５  解除装置
５６  解除要素
５７  制限止め
ｄ  距離
Ａ  作動方向
Ｄ  無効状態
ＦＰ  係合力
ＦＳ  ばね力
ＦＡ  ばね離間力
ＦＲ  保持力
ＦＤ  無効化力
Ｋ  ロック前位置
Ｌ  ロック位置
Ｎ  ばね離間位置
Ｍ  完全嵌合位置
Ｐ  プラグ方向
Ｐ’  相手側プラグ方向
Ｒ  組立前状態
Ｓ  組立状態
Ｔ  最終状態
Ｘ  縦方向
Ｙ  横方向
Ｚ  高さ方向
【図１】
0006492010.tif 000002
【図２】
0006492010.tif 000003
【図３】
0006492010.tif 000004
【図４】
0006492010.tif 000005
【図５】
0006492010.tif 000006
【図６】
0006492010.tif 000007
【図７】
0006492010.tif 000008
【図８】
0006492010.tif 000009
【図９】
0006492010.tif 000010
【図１０】
0006492010.tif 000011
【図１１】
0006492010.tif 000012